【手続補正書】
【提出日】令和2年5月19日(2020.5.19)
【手続補正１】
【補正対象書類名】明細書
【補正対象項目名】００３０
【補正方法】変更
【補正の内容】
【００３０】
Ｘ，Ｙ，Ｚ方向について、Ｚ方向、Ｙ方向、Ｘ方向の順で説明する。Ｚ方向は、重力方向に平行な方向を示している。−Ｚ方向は重力方向であり、＋Ｚ方向は、重力方向とは反対の方向である。本明細書において、「上」または「下」と言うときは、基本的には重力方向を基準とした上下方向を意味している。Ｙ方向は、水平面に平行な方向を示しており、液体消費装置５００の前後方向（奥行き方向）を示している。−Ｙ方向は、液体消費装置５００のユーザーが正対することが想定されている液体消費装置５００の前面側から背面側に向かう方向である。＋Ｙ方向は、液体消費装置５００の背面側から前面側に向かう方向である。Ｘ方向は、水平面に平行な方向を示しており、液体消費装置５００の左右方向（幅方向）を示している。＋Ｘ方向は、液体消費装置５００の前面に正対したときに左側から右側に向かう方向を示し、−Ｘ方向は、右側から左側に向かう方向を示している。
【手続補正２】
【補正対象書類名】明細書
【補正対象項目名】００４９
【補正方法】変更
【補正の内容】
【００４９】
容器本体１１は、第１部位１５と、第２部位１６と、を有する（図２〜図７）。第１部位１５は、液体収容容器１０Ａが装着状態にあるときに、液体消費装置５００の外部に露出している部位であり、容器挿入口５２１よりも＋Ｙ方向側の部位である（図１）。第２部位１６は、液体収容容器１０Ａが装着状態にあるときに、液体消費装置５００の内部に収納されている部位であり、容器挿入口５２１よりも−Ｙ方向側の部位である。前述した第１端部１２は第２部位１６に含まれ、第２端部１３は第１部位１５に含まれている。
【手続補正３】
【補正対象書類名】明細書
【補正対象項目名】００６９
【補正方法】変更
【補正の内容】
【００６９】
Ａ２−１−７．電気的接続部：
液体収容容器１０Ａの第１端部１２には、液体消費装置５００に対して電気的に接続される電気的接続部５０が設けられている（図３，図５，図９）。液体消費装置５００の制御部５１０は、電気的接続部５０から受け取る電気的信号によって、液体収容容器１０Ａに収容されている液体に関する情報を取得する。「液体に関する情報」には、例えば、液体の種類や液体収容容器１０Ａにおける現在の液体の収容量などが含まれる。また、制御部５１０は、液体消費装置５００に対する液体収容容器１０Ａの装着状態を電気的に検出する。
【手続補正４】
【補正対象書類名】明細書
【補正対象項目名】００７０
【補正方法】変更
【補正の内容】
【００７０】
電気的接続部５０は、液体出口３３の上方に設けられている（図９）。電気的接続部５０は、基板によって構成されており、第１壁部２１と第３壁部２３との間の角部に設けられた凹部５１内に配置されている（図３）。凹部５１内には、＋Ｙ方向と＋Ｚ方向との間の斜め上方に向いている傾斜面５１ｓが形成されており、電気的接続部５０は、当該傾斜面５１ｓ上に配置されている。電気的接続部５０は、基板面５２が斜め上方を向くように配置されている。電気的接続部５０の基板面５２には、複数の電極板５３が配置されている（図９）。基板面５２の裏面には、液体に関する情報を記憶する記憶装置を含む電気回路部５４が設けられている。電気回路部５４は、後に参照する図１７に図示されている。
【手続補正５】
【補正対象書類名】明細書
【補正対象項目名】００７１
【補正方法】変更
【補正の内容】
【００７１】
液体消費装置５００に液体収容容器１０Ａが装着されるときには、弾性部材によって下方に付勢されている液体消費装置５００の接続端子５２７（後に参照される図２８において図示。）が、電気的接続部５０の電極板５３に上方から接触する。このとき、各電極板５３は、液体収容容器１０Ａが液体消費装置５００に挿入されるときの＋Ｙ方向の力に加えて、当該接続端子５２７からの−Ｚ方向の付勢力も受ける。これら二方向の力によって、液体消費装置５００に対する電気的接続部５０の電気的な接続性が高められている。また、液体消費装置５００に対する液体収容容器１０Ａの挿入の際に液体消費装置５００の接続端子５２７が各電極板５３の表面を擦るため、電極板５３に付着している油脂分や塵芥などの異物が除去される。よって、液体消費装置５００に対する電気的接続部５０の電気的な接続性が高められる。
【手続補正６】
【補正対象書類名】明細書
【補正対象項目名】０１２２
【補正方法】変更
【補正の内容】
【０１２２】
なお、液体収容容器１０Ａでは、各凹部５５と、液体出口３３と、電気的接続部５０のそれぞれのＸ方向における中心位置は、Ｚ方向に平行な軸ＣＹ上に一列に配列される（図９）。それらの中心位置はそれぞれ、当該軸ＣＹに対して、わずかにずれた位置に配置されていてもよい。液体出口３３および電気的接続部５０の中心位置に対する各凹部５５の中心位置のＸ方向におけるずれは、液体出口３３からこぼれた液体の回収が円滑に行える範囲で許容されてよい。各凹部５５の中心位置は、液体収容容器１０ＡをＹ方向に見たときに、液体出口３３および電気的接続部５０に対して各凹部５５の少なくとも一部が重なる範囲でずれていてもよい。
【手続補正７】
【補正対象書類名】明細書
【補正対象項目名】０１６５
【補正方法】変更
【補正の内容】
【０１６５】
内壁部６５の上端は、第３壁部２３に連結され、＋Ｘ方向側の端部は、第６壁部２６に連結されている（図１０）。これによって、開口筐体部材６０の強度が高められている。また、内壁部６５の−Ｘ方向側の端面は、フィルム部材６３に溶着されている（図１２）。これによって、液体収容容器１０Ａでは、内壁部６５の到着領域の分だけ、フィルム部材６３の溶着面積が増加しており、開口筐体部材６０に対するフィルム部材６３の接合強度が高められている。このように、液体収容容器１０Ａでは、内壁部６５は、液体収容容器１０Ａの強度や耐久性を高める収容室３１内の補強リブとして機能する。
【手続補正８】
【補正対象書類名】明細書
【補正対象項目名】０１７２
【補正方法】変更
【補正の内容】
【０１７２】
収容室大気口１１１は、収容室３１において開口している（図２４Ａ，図２４Ｂ）。収容室大気口１１１は、収容室３１に対する空気の出入口として機能する。収容室大気口１１１は、開口筐体部材６０の壁部６０ｗの−Ｘ方向側の端部において局所的に＋Ｘ方向に窪むように設けられた凹部と、フィルム部材６３と、の間に形成される貫通孔として構成されている（図１２）。
【手続補正９】
【補正対象書類名】明細書
【補正対象項目名】０２０５
【補正方法】変更
【補正の内容】
【０２０５】
第２工程では、フィルム部材６３が溶着された開口筐体部材６０に対して、容器蓋部材６２（図１０）が取り付けられる。容器蓋部材６２が開口筐体部材６０に対して適切に取り付けられた状態では、容器蓋部材６２の周縁壁部６７の＋Ｘ方向側の端面６７ｔがレール部４１，４２に当接する（図５，図７）。周縁壁部６７の＋Ｘ方向側の端面６７ｔでは、周縁壁部６７は、レール部４１，４２に対して、挿入方向に沿って線状に延びている接触領域ＣＡにおいて接触する。なお、第２工程では、容器蓋部材６２の本体壁部６６によってフィルム部材６３が覆われるとともに、周縁壁部６７の一部であるフィルター室壁部６７ｆによって、フィルター室７１を封止しているフィルム部材７４が覆われる（図７）。
【手続補正１０】
【補正対象書類名】明細書
【補正対象項目名】０２１４
【補正方法】変更
【補正の内容】
【０２１４】
Ｂ．第２実施形態：
図２９を参照して、第２実施形態の液体収容容器１０Ｂの構成を説明する。図２９は、第２実施形態の液体収容容器１０Ｂが備える開口筐体部材６０Ｂを＋Ｘ方向に見たときの概略側面図である。図２９には、液体収容容器１０Ｂが装着状態にあるときの水平方向に平行な軸線ＨＸを図示してある。第２実施形態の液体収容容器１０Ｂの構成は、収容室３１が傾斜している底面３１ｂＢを有し、補強壁部６４が省略されている点以外は、第１実施形態の液体収容容器１０Ａの構成とほぼ同じである。第２実施形態の液体収容容器１０Ｂは、第１実施形態で説明した液体消費装置５００に装着される。
【手続補正１１】
【補正対象書類名】明細書
【補正対象項目名】０２３７
【補正方法】変更
【補正の内容】
【０２３７】
バー支持部１３２は、液体収容容器１０Ｇの第１部位１５に設けられている。バー支持部１３２は、液体収容容器１０Ｇが装着状態にあるときに、連結バー１３１を受け入れて支持するように構成されている。バー支持部１３２は、第２壁部２２から突出して設けられた鉤状の部位として構成されており、第１壁部２１から＋Ｙ方向に延びる基端部１３２ａと、当該基端部１３２ａから＋Ｚ方向に延びる先端部１３２ｂと、を有している。連結バー１３１は、基端部１３２ａの上に配置され、先端部１３２ｂと第２壁部２２とに挟まれて支持される。バー支持部１３２は、視認部３８における目盛３９の形成領域を避けて設けられていることが望ましい。
【手続補正１２】
【補正対象書類名】明細書
【補正対象項目名】０２４４
【補正方法】変更
【補正の内容】
【０２４４】
第８実施形態の連結部１３５は、連結バー１３６と、バー支持部１３７と、によって構成される。第８実施形態の連結バー１３６は、液体消費装置５００における液体収容容器１０Ｇの配置領域のＸ方向における幅より小さい長さを有する。連結バー１３６は、図示されているような棒状の部材として構成されてもよい。連結バー１３６は、棒状ではなく、第７実施形態の連結バー１３１のように板状の部材として構成されてもよい。
【手続補正１３】
【補正対象書類名】明細書
【補正対象項目名】０２４５
【補正方法】変更
【補正の内容】
【０２４５】
第８実施形態のバー支持部１３７は、液体収容容器１０Ｈの第１部位１５において第４壁部２４から下方に突出するように設けられている。バー支持部１３７には、Ｘ方向に貫通する貫通孔１３８が設けられている。貫通孔１３８は、連結バー１３６を挿入可能な径を有している。また、貫通孔１３８の開口端部は、キー部材５３０の一部の挿入を受け入れることができる開口形状を有している。
【手続補正１４】
【補正対象書類名】明細書
【補正対象項目名】０２４６
【補正方法】変更
【補正の内容】
【０２４６】
第８実施形態の液体消費装置５００Ｈでは、第１実施形態の液体消費装置５００と同様に、複数の液体収容容器１０Ｈが挿入方向に交差するＸ方向に配列された状態で並列に装着される（図３５）。連結バー１３６は、ユーザーによって、全ての液体収容容器１０Ｈが液体消費装置５００Ｈに装着されている状態において、各液体収容容器１０Ｈのバー支持部１３７の貫通孔１３８に挿入される。これによって、液体消費装置５００Ｈでは、装着状態にある液体収容容器１０Ｈ同士が連結された状態になる。この連結状態では、連結バー１３６は、その全体がバー支持部１３７の貫通孔１３８内に収納された状態にされる。
【手続補正１５】
【補正対象書類名】明細書
【補正対象項目名】０２４７
【補正方法】変更
【補正の内容】
【０２４７】
連結部１３５による液体収容容器１０Ｈの連結状態を解除する際には、ユーザーは、キー部材５３０を用いる（図３６）。ユーザーは、キー部材取付部５３１に取り付けられていたキー部材５３０を抜き取り、キー部材５３０の一部をバー支持部１３７の貫通孔１３８に挿入し、連結バー１３６の一部を、キー部材５３０が挿入された側とは反対側から突出させる。これによって、ユーザーは、連結バー１３６をバー支持部１３７の貫通孔１３８から抜き取って、液体収容容器１０Ｈの連結状態を解除することが可能になる。
【手続補正１６】
【補正対象書類名】明細書
【補正対象項目名】０２４８
【補正方法】変更
【補正の内容】
【０２４８】
液体消費装置５００Ｈには、キー部材５３０およびキー部材取付部５３１に代えて、あるいは、キー部材５３０およびキー部材取付部５３１とともに、それらと同様な機能を有する別のキー部材５３５および別のキー部材取付部５３６を有していてもよい。キー部材取付部５３６は、図３５に例示されているように、容器挿入口５２１の上方、かつ、＋Ｘ方向側に設けられていてよい。キー部材５３６は、対応するキー部材５３５の着脱を検出するキー検出部を有する（図示は省略）。また、キー部材５３５は、キー部材５３０と同様に、液体収容容器１０Ｈの連結状態の解除に用いることができるように構成される。なお、液体消費装置５００Ｈが２つのキー部材５３０，５３５を有する構成の場合には、制御部５１０は、少なくとも一方のキー部材５３０，５３５がキー部材取付部５３１，５３６から取り外されているときに、液体消費装置５００Ｈの駆動を禁止する。